(57)【要約】【課題】ユーザの操作状況に合わせた好適なタイミングでライブビューの拡大表示を解除できるようにする。【解決手段】撮像制御装置は、ライブビューの表示倍率を第１の倍率と、前記第１の倍率よりも拡大した第２の倍率を含む複数の表示倍率のいずれかに切り替える切替手段と、マニュアルフォーカスの指示操作であるＭＦ操作を受け付ける操作手段と、焦点検出位置の合焦度合いを示すガイドを表示するように制御する表示制御手段と、ライブビューを前記第２の倍率で表示している場合に、前記ＭＦ操作があると、ライブビューを前記第１の倍率での表示に切り替え、前記第１の倍率でのライブビューと共に前記ガイドを表示するように制御する制御手段と、を有する。【選択図】図４
2020046476.tif 000002
【特許請求の範囲】
【請求項１】
ライブビューの表示倍率を第１の倍率と、前記第１の倍率よりも拡大した第２の倍率を含む複数の表示倍率のいずれかに切り替える切替手段と、
マニュアルフォーカスの指示操作であるＭＦ操作を受け付ける操作手段と、
焦点検出位置の合焦度合いを示すガイドを表示するように制御する表示制御手段と、
ライブビューを前記第２の倍率で表示している場合に、前記ＭＦ操作があると、ライブビューを前記第１の倍率での表示に切り替え、前記第１の倍率でのライブビューと共に前記ガイドを表示するように制御する制御手段と、を有することを特徴とする撮像制御装置。
【請求項２】
前記制御手段は、ライブビューを前記第２の倍率で表示している場合に、前記ＭＦ操作があると、ライブビューを前記第１の倍率での表示に切り替え、前記第１の倍率でのライブビューと共に前記ガイドを表示し、かつ、前記ＭＦ操作に応じたフォーカス調整を行うように制御することを特徴とする請求項１に記載の撮像制御装置。
【請求項３】
前記ガイドを表示する機能を有効または無効に設定可能な設定手段をさらに有し、
前記制御手段は、ライブビューを前記第２の倍率で表示中に、前記機能が有効に設定されている場合は、前記ＭＦ操作があると、ライブビューを前記第１の倍率での表示に切り替えるように制御し、ライブビューを前記第２の倍率で表示中に、前記機能が無効に設定されている場合は、前記ＭＦ操作があっても、前記第２の倍率での表示を維持することを特徴とする請求項１または２に記載の撮像制御装置。
【請求項４】
前記制御手段は、動画の記録中にライブビューを前記第２の倍率で表示している場合に、前記ＭＦ操作があると、ライブビューを前記第１の倍率での表示に切り替えるように制御し、動画の記録中ではない場合には、ライブビューを前記第２の倍率で表示している際に前記ＭＦ操作があっても前記第２の倍率での表示を維持することを特徴とする請求項１から３のいずれか１項に記載の撮像制御装置。
【請求項５】
前記制御手段は、前記ガイドが複数設定されており、ライブビューを前記第２の倍率で表示している場合に、前記ＭＦ操作があると、ライブビューを前記第１の倍率での表示に切り替えるように制御し、前記ガイドが複数設定されておらず、ライブビューを前記第２の倍率で表示している場合に、前記ＭＦ操作があっても前記第２の倍率での表示を維持することを特徴とする請求項１から４のいずれか１項に記載の撮像制御装置。
【請求項６】
前記制御手段は、ライブビューを前記第１の倍率で表示中に、ＭＦ操作に応じて拡大表示を行う設定となっている場合は、前記ＭＦ操作に応じてライブビューを前記第２の倍率での表示に切り替え、その後、前記ＭＦ操作があってもライブビューの前記第２の倍率での表示を維持することを特徴とする請求項１から５のいずれか１項に記載の撮像制御装置。
【請求項７】
前記制御手段は、ライブビューを前記第２の倍率で表示している場合には前記ガイドを表示しないことを特徴とする請求項１から６のいずれか１項に記載の撮像制御装置。
【請求項８】
マニュアルフォーカスモードまたはオートフォーカスモードに切り替え可能な手段をさらに有し、
前記制御手段は、前記マニュアルフォーカスモードに設定されており、ライブビューを前記第２の倍率で表示している場合に、前記ＭＦ操作があると、ライブビューを前記第１の倍率での表示に切り替えるように制御し、
前記オートフォーカスモードに設定されており、ライブビューを前記第２の倍率で表示している場合には、前記ＭＦ操作があっても前記第２の倍率での表示を維持することを特徴とする請求項１から７のいずれか１項に記載の撮像制御装置。
【請求項９】
ファインダー内の第１の表示部とファインダー外の第２の表示部をさらに有し、
前記制御手段は、前記第１の表示部にライブビューが前記第２の倍率で表示され、前記第２の表示部にライブビューが表示されていない場合に、前記ＭＦ操作があると、前記第１の表示部におけるライブビューを前記第１の倍率での表示に切り替えるように制御し、
前記第１の表示部にライブビューが表示されておらず、前記第２の表示部にライブビューが前記第２の倍率で表示されている場合に、前記ＭＦ操作があっても、前記第２の表示部においてライブビューの前記第２の倍率での表示を維持することを特徴とする請求項１から８のいずれか１項に記載の撮像制御装置。
【請求項１０】
ライブビュー画像から顔および顔の器官である瞳を検出可能な検出手段をさらに有し、
前記制御手段は、ライブビューを前記第２の倍率で表示中に、ライブビューの拡大表示が前記瞳の位置を基準に行われている場合は、前記ＭＦ操作があってもライブビューを前記第１の倍率での表示に切り替えず、前記ライブビューの拡大表示が前記瞳の位置とは異なる第２の位置を基準に行われている場合には、前記ＭＦ操作があると、ライブビューを前記第１の倍率での表示に切り替えるように制御することを特徴とする請求項１から９のいずれか１項に記載の撮像制御装置。
【請求項１１】
ライブビューの表示倍率を第１の倍率と、前記第１の倍率よりも拡大した第２の倍率を含む複数の表示倍率のいずれかに切り替える切替手段と、マニュアルフォーカスの指示操作であるＭＦ操作を受け付ける操作手段と、焦点検出位置の合焦度合いを示すガイドを表示するように制御する表示制御手段とを有する撮像制御装置の制御方法であって、
焦点検出位置の合焦度合いを示すガイドを表示するように制御するステップと、
ライブビューを前記第２の倍率で表示している場合に、前記ＭＦ操作があると、ライブビューを前記第１の倍率での表示に切り替え、前記第１の倍率でのライブビューと共に前記ガイドを表示するように制御するステップと、を有することを特徴とする撮像制御装置の制御方法。
【請求項１２】
コンピュータを、請求項１から１０のいずれか１項に記載された撮像制御装置の各手段として機能させるためのプログラム。
【請求項１３】
コンピュータを、請求項１から１０のいずれか１項に記載された撮像制御装置の各手段として機能させるためのプログラムを格納したコンピュータが読み取り可能な記憶媒体。
【発明の詳細な説明】
【技術分野】
【０００１】
本発明は、ライブビューの表示制御技術に関する。
【背景技術】
【０００２】
デジタルカメラにおいて、マニュアル操作でフォーカス調整を行う場合に、合焦度合いを確認する手段として、ライブビューの拡大表示や、焦点検出位置をライブビューに重畳して表示し、合焦度合いを表示する機能（以下、フォーカスガイド）が知られている（特許文献１参照）。
【先行技術文献】
【特許文献】
【０００３】
【特許文献１】特開２０１６−１９７８１９号公報
【発明の概要】
【発明が解決しようとする課題】
【０００４】
ライブビューの拡大表示は、画角の中の一部分の合焦度合いを詳細に確認しながらフォーカス調整を行う場合に適している。一方、フォーカスガイドは、画角の中の一部分の合焦度合いをガイドで確認しつつ、画角（撮影範囲）の全体の合焦度合いもライブビューで確認しながらフォーカス調整を行うことができる。従って、撮影範囲の全体を確認しながらフォーカス調整を行いたい場合には、ライブビューの拡大表示が解除されることが望ましい。これに対し、特許文献１では、ライブビューの拡大表示中に、ユーザから明示的に拡大率を変更する操作、あるいは解除する操作がなければ拡大表示は解除されない。
【０００５】
本発明は、上記課題に鑑みてなされ、その目的は、ユーザの操作状況に合わせた好適なタイミングでライブビューの拡大表示を解除できる撮像制御技術を実現することである。
【課題を解決するための手段】
【０００６】
上記課題を解決し、目的を達成するために、本発明の撮像制御装置は、ライブビューの表示倍率を第１の倍率と、前記第１の倍率よりも拡大した第２の倍率を含む複数の表示倍率のいずれかに切り替える切替手段と、マニュアルフォーカスの指示操作であるＭＦ操作を受け付ける操作手段と、焦点検出位置の合焦度合いを示すガイドを表示するように制御する表示制御手段と、ライブビューを前記第２の倍率で表示している場合に、前記ＭＦ操作があると、ライブビューを前記第１の倍率での表示に切り替え、前記第１の倍率でのライブビューと共に前記ガイドを表示するように制御する制御手段と、を有する。
【発明の効果】
【０００７】
本発明によれば、ユーザの操作状況に合わせた好適なタイミングでライブビューの拡大表示を解除できる撮像制御技術を実現することである。
【図面の簡単な説明】
【０００８】
【図１】デジタルカメラの背面の外観図。
【図２】デジタルカメラの構成を示すブロック図。
【図３】フォーカスガイドの表示形態の説明図。
【図４】撮影モード処理を示すフローチャート。
【図５】ライブビュー表示画面を例示する図。
【発明を実施するための形態】
【０００９】
以下に、本発明の実施の形態について添付図面を参照して詳細に説明する。
【００１０】
＜装置構成＞図１及び図２を参照して、本実施形態の撮像制御装置としてのデジタルカメラの機能及び外観について説明する。
【００１１】
本実施形態のデジタルカメラ１００の背面の外観を示す図１において、表示部１０１は画像や各種情報を表示する液晶表示パネル（ＬＣＤ）等からなる。表示部１０１には、ファインダー外に配置された表示部である背面表示パネル１０１ａと、ファインダー内の表示部である電子ビューファインダー（以下、ＥＶＦ）１０１ｂが含まれる。シャッターボタン１０２は撮影指示を行うための操作部である。モード切替ボタン１０３は各種モードを切り替えるための操作部である。コネクタ１０７は接続ケーブル１０８とデジタルカメラ１００とを接続するインターフェースである。操作部１０４はユーザからの各種操作を受け付ける各種スイッチ、ボタン、タッチパネル等の操作部材からなる操作部である。コントローラホイール１０６は操作部１０４に含まれる回転可能な電子ダイヤルである。電源スイッチ１０５は電源のオン、オフを切り替える操作部である。記録媒体１０９はメモリカードやハードディスク等の記録媒体である。記録媒体スロット１１０は記録媒体１０９を格納するためのスロットである。記録媒体スロット１１０に格納された記録媒体１０９は、デジタルカメラ１００との通信が可能となる。蓋１１１は記録媒体スロット１１０の蓋である。図１では、蓋１１１を開けて記録媒体スロット１１０から記録媒体１０９の一部を取り出して露出させた状態を示している。接眼検知部１１２は、赤外線近接センサなどを用いて、ＥＶＦ１０１ｂを内蔵するファインダーの接眼部への何らかの物体の接近を検知する。
【００１２】
本実施形態のデジタルカメラ１００の内部構成を示す図２において、撮影レンズ２０３はズームレンズ、フォーカスレンズを含むレンズ群である。シャッター２０４は絞り機能を備える。撮像部２０５は被写体の光学像を電気信号に変換するＣＣＤやＣＭＯＳ等で構成される撮像素子である。Ａ／Ｄ変換器２０６は、アナログ信号をデジタル信号に変換する。Ａ／Ｄ変換器２０６は、撮像部２０５から出力されるアナログ信号をデジタル信号に変換するために用いられる。バリア２０２は、デジタルカメラ１００の、撮影レンズ２０３を含む撮像系を覆うことにより、撮影レンズ２０３、シャッター２０４、撮像部２０５を含む撮像系の汚れや破損を防止する。
【００１３】
画像処理部２０７は、Ａ／Ｄ変換器２０６からのデータ、又は、メモリ制御部２０９からのデータに対し所定の画素補間、縮小といったリサイズ処理や色変換処理を行う。また、画像処理部２０７では、撮像した画像データを用いて所定の演算処理が行われ、得られた演算結果に基づいてシステム制御部２０１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２０７ではさらに、撮像した画像データを用いて所定の演算処理を行い、得られた演算結果に基づいてＴＴＬ方式のＡＷＢ（オートホワイトバランス）処理も行っている。
【００１４】
Ａ／Ｄ変換器２０６からの出力データは、画像処理部２０７及びメモリ制御部２０９を介して、或いは、メモリ制御部２０９を介してメモリ２１０に直接書き込まれる。メモリ２１０は、撮像部２０５によって得られ、Ａ／Ｄ変換器２０６によりデジタルデータに変換された画像データや、表示部１０１に表示するための画像データを格納する。メモリ２１０は、所定枚数の静止画や所定時間の動画および音声を格納するのに十分な記憶容量を備えている。
【００１５】
また、メモリ２１０は画像表示用のメモリ（ビデオメモリ）を兼ねている。Ｄ／Ａ変換器２０８は、メモリ２１０に格納されている画像表示用のデータをアナログ信号に変換して表示部１０１に供給する。こうして、メモリ２１０に書き込まれた表示用の画像データはＤ／Ａ変換器２０８を介して表示部１０１により表示される。表示部１０１は、ＬＣＤ等の表示器上に、Ｄ／Ａ変換器２０８からのアナログ信号に応じた表示を行う。Ａ／Ｄ変換器２０６によって一旦Ａ／Ｄ変換され、メモリ２１０に蓄積されたデジタル信号をＤ／Ａ変換器２０８においてアナログ変換し、表示部１０１に逐次転送して表示することで、ライブビューの表示を行える。
【００１６】
不揮発性メモリ２１３は、電気的に消去・記憶可能なメモリであり、例えばＥＥＰＲＯＭ等が用いられる。不揮発性メモリ２１３には、システム制御部２０１の動作用の定数、プログラム等が記憶される。ここでいう、プログラムとは、本実施形態にて後述する各種フローチャートを実行するためのプログラムのことである。
【００１７】
システム制御部２０１は、デジタルカメラ１００全体を制御する。前述した不揮発性メモリ２１３に記憶されたプログラムを実行することで、後述する本実施形態の各処理を実現する。２１２はシステムメモリであり、ＲＡＭが用いられる。システムメモリ２１２には、システム制御部２０１の動作用の定数、変数、不揮発性メモリ２１３から読み込んだプログラム等を展開する。また、システム制御部２０１はメモリ２１０、Ｄ／Ａ変換器２０８、表示部１０１等を制御することにより表示制御も行う。
【００１８】
システムタイマー２１１は各種制御に用いる時間や、内蔵された時計の時間を計測する計時部である。
【００１９】
モード切替ボタン１０３、第１シャッタースイッチ１０２ａ、第２シャッタースイッチ１０２ｂ、操作部１０４はシステム制御部２０１に各種の動作指示を入力するための操作手段である。
【００２０】
モード切替ボタン１０３は、システム制御部２０１の動作モードを静止画撮影モード、動画記録モード、再生モードなどのいずれかに切り替える。静止画撮影モードに含まれるモードとして、オートモード、オートシーン判別モード、マニュアルモード、シーン別の撮影設定となる各種シーンモード、プログラムＡＥモード、カスタムモードなどがある。モード切替ボタン１０３で、これらのモードのいずれかに直接切り替えられる。あるいは、モード切替ボタン１０３で撮影モード選択画面に一旦切り替えた後に、撮影モード選択画面に表示された、各撮影モードに対応する選択肢のいずれかを他の操作部材を用いて選択することで切り替えるようにしてもよい。同様に、動画記録モードにも複数のモードが含まれていてもよい。
【００２１】
第１シャッタースイッチ１０２ａは、デジタルカメラ１００に設けられたシャッターボタン１０２の操作途中、いわゆる半押し（撮影準備指示）でオンとなり第１シャッタースイッチ信号ＳＷ１を発生する。第１シャッタースイッチ信号ＳＷ１により、ＡＦ処理、ＡＥ処理、ＡＷＢ処理、ＥＦ処理等の撮影準備処理を開始する。
【００２２】
第２シャッタースイッチ１０２ｂは、シャッターボタン１０２の操作完了、いわゆる全押し（撮影指示）でオンとなり、第２シャッタースイッチ信号ＳＷ２を発生する。システム制御部２０１は、第２シャッタースイッチ信号ＳＷ２により、撮像部２０５からの信号読み出しから記録媒体１０９に画像データを書き込むまでの一連の撮影処理を開始する。
【００２３】
操作部１０４の各操作部材は、表示部１０１に表示される種々の機能アイコンを選択操作することなどにより、シーンごとに適宜機能が割り当てられ、各種機能ボタンとして作用する。機能ボタンとしては、例えば終了ボタン、戻るボタン、画像送りボタン、ジャンプボタン、絞込みボタン、属性変更ボタンなどがある。例えば、メニューボタンが押されると各種の設定可能なメニュー画面が表示部１０１に表示される。ユーザは、表示部１０１に表示されたメニュー画面と、上下左右の４方向ボタンやＳＥＴボタンとを用いて直感的に各種設定を行うことができる。
【００２４】
コントローラホイール１０６は、操作部１０４に含まれる回転操作可能な操作部材であり、方向ボタンと共に選択項目を指示する際などに使用される。コントローラホイール１０６を回転操作すると、操作量に応じて電気的なパルス信号が発生し、このパルス信号に基づいてシステム制御部２０１はデジタルカメラ１００の各部を制御する。このパルス信号によって、コントローラホイール１０６が回転操作された角度や、何回転したかなどを判定することができる。なお、コントローラホイール１０６は回転操作が検出できる操作部材であればどのようなものでもよい。例えば、ユーザの回転操作に応じてコントローラホイール１０６自体が回転してパルス信号を発生するダイヤル操作部材であってもよい。また、タッチセンサよりなる操作部材で、コントローラホイール１０６自体は回転せず、コントローラホイール１０６上でのユーザの指の回転動作などを検出するものであってもよい（いわゆる、タッチホイール）。
【００２５】
電源制御部２１４は、電池検出回路、ＤＣ−ＤＣコンバータ、通電するブロックを切り替えるスイッチ回路等により構成され、電池の装着の有無、電池の種類、電池残量の検出を行う。また、電源制御部２１４は、その検出結果及びシステム制御部２０１の指示に基づいてＤＣ−ＤＣコンバータを制御し、必要な電圧を必要な期間、記録媒体１０９を含む各部へ供給する。
【００２６】
電源部２１５は、アルカリ電池やリチウム電池等の一次電池やＮｉＣｄ電池やＮｉＭＨ電池、リチウムイオン電池等の二次電池、ＡＣアダプタ等からなる。記録媒体Ｉ／Ｆ２１６は、メモリカードやハードディスク等の記録媒体１０９とのインターフェースである。記録媒体１０９は、撮影された画像を記録するためのメモリカード等の記録媒体であり、半導体メモリや磁気ディスク等から構成される。
【００２７】
通信部２１７は、無線アンテナや有線ケーブルによって外部機器と通信可能に接続し、映像や音声の送受信を行う。通信部２１７は無線ＬＡＮ（Ｌｏｃａｌ  Ａｒｅａ  Ｎｅｔｗｏｒｋ）やインターネットにも接続可能である。通信部２１７は撮像部２０５で撮像された画像データ（ライブビュー画像を含む）や、記録媒体１０９に記録されている画像ファイルを外部機器に送信でき、また、外部機器から画像データやその他の各種情報を受信できる。
【００２８】
姿勢検知部２１８は、重力方向に対するデジタルカメラ１００の姿勢を検知する。姿勢検知部２１８で検知された姿勢に応じて、撮像部２０５で撮像された画像がデジタルカメラ１００を横に構えて撮影されたものか、縦に構えて撮影されたものかを判別可能である。システム制御部２０１は、姿勢検知部２１８で検知された姿勢に関する情報を撮像部２０５で撮像された画像データに付加したり、画像データを回転して記憶することが可能である。姿勢検知部としては、加速度センサやジャイロセンサ等を用いることができる。
【００２９】
接眼検知部１１２はファインダーの接眼部に対する目（物体）の接近（接眼）および離反（離眼）を検知する（接近検知）。システム制御部２０１は、接眼検知部１１２で検知された状態に応じて、背面表示パネル１０１ａとＥＶＦ１０１ｂの表示（表示状態）／非表示（非表示状態）を切り替える。接眼検知部１１２は、例えば赤外線近接センサを用いることができ、ＥＶＦ１０１ｂを内蔵するファインダーの接眼部への何らかの物体の接近を検知することができる。
【００３０】
なお、操作部１０４の１つとして、背面表示パネル１０１ａに対する接触を検知可能なタッチパネル１０４ａを有する。タッチパネル１０４ａと背面表示パネル１０１ａとは一体的に構成することができる。例えば、タッチパネル１０４ａを光の透過率が背面表示パネル１０１ａの表示を妨げないように構成し、背面表示パネル１０１ａの表示面の上層に取り付ける。そして、タッチパネル１０４ａにおける入力座標と、背面表示パネル１０１ａ上の表示座標とを対応付ける。これにより、あたかもユーザが背面表示パネル１０１ａ上に表示された画面を直接的に操作可能であるかのようなＧＵＩ（Ｇｒａｆｉｃａｌ Ｕｓｅｒ Ｉｎｔｅｒｆａｃｅ）を構成することができる。すなわち、タッチパネル１０４ａにおけるタッチ検知面が背面表示パネル１０１ａの表示面となる。また、背面表示パネル１０１ａの表示素子と静電容量方式のタッチ検出（タッチ検知）用の電極がセパレータを挟まずに一体的に構成されたインセル型のタッチパネルディスプレイであってもよい。システム制御部２０１はタッチパネル１０４ａへの以下の操作あるいは状態を検出できる。
・タッチパネル１０４ａにタッチしていなかった指やペンが新たにタッチパネル１０４ａにタッチしたこと。すなわち、タッチの開始（以下、タッチダウン（Ｔｏｕｃｈ−Ｄｏｗｎ）と呼ぶ）。
・タッチパネル１０４ａを指やペンでタッチしている状態であること（以下、タッチオン（Ｔｏｕｃｈ−Ｏｎ）と呼ぶ）。
・タッチパネル１０４ａを指やペンでタッチしたまま移動していること（以下、タッチムーブ（Ｔｏｕｃｈ−Ｍｏｖｅ）と呼ぶ）。
・タッチパネル１０４ａへタッチしていた指やペンを離したこと。すなわち、タッチの終了（以下、タッチアップ（Ｔｏｕｃｈ−Ｕｐ）と呼ぶ）。
・タッチパネル１０４ａに何もタッチしていない状態（以下、タッチオフ（Ｔｏｕｃｈ−Ｏｆｆ）と呼ぶ）。
【００３１】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００３２】
これらの操作・状態や、タッチパネル１０４ａ上に指やペンがタッチしている位置座標は内部バスを通じてシステム制御部２０１に通知される。システム制御部２０１は通知された情報に基づいてタッチパネル１０４ａ上にどのような操作（タッチ操作）が行われたかを判定する。
【００３３】
タッチムーブについてはタッチパネル１０４ａ上で移動する指やペンの移動方向についても、位置座標の変化に基づいて、タッチパネル１０４ａ上の垂直成分・水平成分毎に判定できる。また、タッチパネル１０４ａ上をタッチダウンから一定のタッチムーブを経てタッチアップをしたとき、ストロークを描いたこととする。素早くストロークを描く操作をフリックと呼ぶ。フリックは、タッチパネル１０４ａ上に指を触れたままある程度の距離だけ素早く動かして、そのまま離すといった操作であり、言い換えればタッチパネル１０４ａ上を指ではじくように素早くなぞる操作である。所定距離以上を、所定速度以上でタッチムーブしたことが検出され、そのままタッチアップが検出されるとフリックが行われたと判定できる。また、所定距離以上を、所定速度未満でタッチムーブしたことが検出された場合はドラッグが行われたと判定するものとする。
【００３４】
更に、複数箇所（例えば２点）を同時にタッチして、互いのタッチ位置を近づけるタッチ操作をピンチイン、互いのタッチ位置を遠ざけるタッチ操作をピンチアウトと称する。ピンチアウトとピンチインを総称してピンチ操作（あるいは単にピンチ）と称する。
【００３５】
タッチパネル１０４ａは、抵抗膜方式や静電容量方式、表面弾性波方式、赤外線方式、電磁誘導方式、画像認識方式、光センサ方式等、様々な方式のタッチパネルのうちいずれの方式のものを用いてもよい。方式によって、タッチパネルに対する接触があったことでタッチがあったと検出する方式や、タッチパネルに対する指やペンの接近があったことでタッチがあったと検出する方式ものがあるが、いずれの方式でもよい。
【００３６】
本実施形態のデジタルカメラ１００は、中央１点ＡＦや顔ＡＦ、瞳ＡＦを用いた撮影が可能である。中央１点ＡＦとは撮影画面内の中央位置１点に対してＡＦを行うことである。顔ＡＦとは顔検出機能によって検出された撮影画面内の顔に対してＡＦを行うことである。瞳ＡＦとは顔検出機能の一種でもある器官検出機能によって検出された撮影画面内の顔に含まれる瞳に対してＡＦを行うことである。
【００３７】
ユーザは、操作部１０４に含まれるタッチパネル１０４ａや４方向ボタンやＳＥＴボタンを操作することで、図４で後述する、ライブビューの拡大表示、フォーカスガイド機能の設定、録画、マニュアル操作でのフォーカス調整が可能である。ライブビューの拡大表示では、操作部１０４を介して、ライブビューの表示倍率を等倍（第１の倍率、通常倍率、非拡大状態）と、等倍よりも拡大した所定の拡大倍率（第２の倍率）を含む複数の表示倍率のいずれかに切り替える指示操作が可能である。フォーカスガイド機能の設定では、操作部１０４を介して、後述するフォーカスガイドを表示する機能を有効または無効に設定する指示操作が可能である。録画では、操作部１０４を介して、動画の記録を開始または終了する指示操作が可能である。マニュアル操作でのフォーカス調整は、操作部１０４を介して、マニュアルフォーカスでピント位置を調整するための指示操作（ＭＦ操作）が可能である。
【００３８】
＜フォーカスガイドの表示形態＞
次に、図３を参照して、本実施形態におけるフォーカスガイドの表示形態について説明する。
【００３９】
本実施形態では、フォーカスガイド（ガイドアイテム、表示アイテム）は、ライブビューにフォーカスガイドの表示要素のうち、フォーカス枠３０１が重畳表示された位置（枠内）に対応する撮像範囲から取得されたデフォーカス量に基づいた表示を行う。より詳しくは、フォーカスガイドは、撮像部２０５に配置されたデフォーカス量を取得可能な画素（撮像面位相差検出の可能な画素）のうち、フォーカス枠３０１の位置に対応する範囲内の画素群からの出力値に基づいて算出されたデフォーカス量に基づいて、焦点検出位置の合焦度合いを示す。すなわち、フォーカスガイドは、ライブビューで重畳表示された位置の被写体についてフォーカスに関する情報を表示する。本実施形態では、フォーカスガイドの表示形態の種類は、第１〜第４の指標表示形態の４つとし、表示パーツ（表示要素）３０１〜３１１により、検出された焦点状態を表現する。表示パーツ３０１〜３１１は、フォーカス枠３００の上部に配置している。
【００４０】
図３（ａ）は、第１の指標表示形態の一例で、被写体に合焦していると判定された状態を示す。
【００４１】
合焦状態であると判定されている状態では、外側の表示パーツ３０１と内側の表示パーツ３０２の位置が一致（ここではフォーカス枠３００の上部で停止）している。また、合焦状態であると判定されている場合は、例えば、表示パーツ３０１と表示パーツ３０２を他の表示形態の色（例えば白）と異なる色（例えば緑）で表してもよい。表示パーツ３０１は、後述する表示パーツ３０７と３０８が統合されて１つの表示パーツとして表現された表示パーツである。表示パーツ３０２は、後述する表示バーツ３０４と３０５が統合されて１つの表示パーツとして表現された表示パーツである。
【００４２】
図３（ｂ）、（ｃ）は、それぞれ第２の指標表示形態と第３の指標表示形態の一例を示し、被写体に合焦していないが、焦点検出結果の信頼度が高い場合に、合焦位置までの方向とデフォーカス量の大きさを示す表示例である。
【００４３】
図３（ｂ）は、被写体よりも至近側にピントが合っている（前ピン）場合の表示例を示す。この場合、外側の表示パーツ３０３（内向きの三角形）がフォーカス枠３００の上部に停止した状態で、内側の表示パーツ３０４と表示パーツ３０５（外向きの三角形）が、デフォーカス量の変化に伴って、フォーカス枠３００を取り囲む円周上に沿って左右対称に移動する。表示パーツ３０４と表示パーツ３０５の位置は、デフォーカス量の大きさを示し、両者が表示パーツ３０３の位置（基準位置）から離れるほど、デフォーカス量が大きいことを示している。なお、表示パーツ３０３は表示パーツ３０１に対応し、表示パーツ３０４と表示パーツ３０５が重なった状態が表示パーツ３０２に対応する。
【００４４】
図３（ｃ）は、被写体よりも無限遠側にピントが合っている（後ピン）場合の表示例を示す。この場合、内側の表示パーツ３０６（外向きの三角形）がフォーカス枠３００の上部に停止した状態で、外側の表示パーツ３０７と表示パーツ３０８（内向きの三角形）が、デフォーカス量の変化に伴って、フォーカス枠３００を取り囲む円周上に沿って左右対称に移動する。表示パーツ３０７と表示パーツ３０８の位置はデフォーカス量の大きさを示し、両者が表示パーツ３０６の位置（基準位置）から離れるほど、デフォーカス量が大きいことを示している。なお、表示パーツ３０６は表示パーツ３０２に対応し、表示パーツ３０７と表示パーツ３０８が重なった状態が表示パーツ３０１に対応する。
【００４５】
以上説明したように、第２の指標表示形態と第３の指標表示形態では、移動する表示パーツの位置によってデフォーカス量の大きさを示すことができる。また、フォーカス枠３００の上部で停止している表示パーツの向きによって合焦位置までの方向（デフォーカス方向）を示すことができる。
【００４６】
図３（ｄ）は、第４の指標表示形態の一例を示す図であり、焦点検出結果の信頼性が低い場合の表示例を示す。この場合は、デフォーカス量の大きさもデフォーカス方向も示さずに、焦点検出ができないことをユーザに視認させる。本実施形態では、各表示パーツ３０９〜３１１を他の表示形態と異なる色（例えばグレー）で表示すると共に、各表示パーツ３０９〜３１１を所定位置で固定する表示形態とした。また、各表示パーツ３０９〜３１１の形状を他の表示形態と異ならせている。
【００４７】
なお、本実施形態では、フォーカスガイドの表示形態について、図３を用いて説明したが、これに限るものではない。また、フォーカスガイドは、撮像部２０５から得られる信号（撮像面位相差信号）に基づくデフォーカス量に基づく合焦度合いを表示するものとして説明したが、これに限るものではない。撮像面とは異なる場所に設定された焦点検出センサ（位相差センサ等）からの出力値に基づいて合焦度合いを示すものでもよいし、コントラスト値に基づいて合焦度合いを示すものでもよい。
【００４８】
＜撮影処理＞次に、図４および図５を参照して、本実施形態のデジタルカメラ１００による撮影モードについて説明する。
【００４９】
なお、図４の処理は、不揮発性メモリ２１３に記録されたプログラムを、システムメモリ２１２に読み出してシステム制御部２０１が実行することにより実現する。デジタルカメラ１００が撮影モードで起動されると、図４の撮影モード処理を開始する。
【００５０】
Ｓ４０１において、システム制御部２０１は、撮像部２０５により撮像処理を開始し、表示部１０１にライブビューを表示する。また、システム制御部２０１は、不揮発性メモリ２１３からカメラ設定値を読み出し、カメラ設定値を示す情報アイコンをライブビューに重畳して表示部１０１に表示する。
【００５１】
図５（ａ）は、ライブビュー表示中の画面例を示している。図５（ａ）の画面５００Ａには、ライブビュー５０２が表示され、ライブビュー５０２の中に被写体５０３と被写体５０４が含まれている。
【００５２】
Ｓ４０２において、システム制御部２０１は、操作部１０４を介してフォーカスガイド機能を有効にする操作がなされたか否かを判定し、操作がなされたと判定した場合はＳ４０３へ進み、そうでない場合はＳ４０６進む。
【００５３】
Ｓ４０３において、システム制御部２０１は、フォーカスガイド機能を有効にする。
【００５４】
Ｓ４０４において、システム制御部２０１は、ライブビューが等倍表示か否かを判定し、等倍表示と判定した場合はＳ４０６へ進み、そうでない場合はＳ４０５へ進む。
【００５５】
Ｓ４０５において、システム制御部２０１は、ライブビューにフォーカスガイドを重畳して表示部１０１に表示する。図５（ｂ）は、フォーカスガイド機能が有効に設定され、ライブビューに重畳してフォーカスガイドが表示されている画面例を示している。図５（ｂ）の画面５００Ｂには、ライブビュー５０２の中の被写体５０４にフォーカスガイド５２０が重畳表示され、また、フォーカスガイド機能を有効に設定したことを示すガイダンス５０６が所定時間表示される。フォーカスガイド５２０は、図３で説明したようにフォーカスガイド位置の焦点検出結果に応じて表示形態が変わる。図５（ｂ）のフォーカスガイド５２０は非合焦状態を示し、図５（ｃ）の画面５００Ｃのフォーカスガイド５２１は合焦状態を示している。なお、フォーカスガイドは複数表示（複数設定）可能であってもよい。図５（ｅ）は、等倍のライブビュー表示において複数のフォーカスガイドを表示（設定）した画面例を示している。図５（ｅ）の画面５００Ｅでは複数の被写体５０３、５０４に対して複数のフォーカスガイド５２１、５２２が同時表示されている。
【００５６】
Ｓ４０６において、システム制御部２０１は、操作部１０４に含まれるタッチパネル１０４ａに対してタッチダウンやタッチムーブなどのタッチ操作が行われたか否かを判定し、タッチ操作が行われたと判定した場合はＳ４０７へ進み、そうでない場合はＳ４１０へ進む。
【００５７】
Ｓ４０７において、システム制御部２０１は、ライブビューが拡大表示か否かを判定し、拡大表示であると判定した場合はＳ４０８へ進み、そうでない場合はＳ４０９へ進む。
【００５８】
Ｓ４０８において、システム制御部２０１は、タッチ操作がなされた位置または移動量に応じてライブビューの拡大表示の中心位置を移動する。
【００５９】
Ｓ４０９において、システム制御部２０１は、タッチ操作がなされた位置または移動量に応じてフォーカスガイドの表示位置を移動する。なお、拡大位置とフォーカスガイドの表示を連動させてもよい。
【００６０】
Ｓ４１０において、システム制御部２０１は、操作部１０４を介してライブビューの拡大表示が指示されたか否かを判定し、指示されたと判定した場合はＳ４１１へ進み、そうでない場合はＳ４１８へ進む。
【００６１】
Ｓ４１１において、システム制御部２０１は、ライブビューが等倍表示か否かを判定し、等倍表示であると判定した場合はＳ４１２へ進み、そうでない場合はＳ４１５へ進む。
【００６２】
Ｓ４１２において、システム制御部２０１は、表示部１０１に等倍表示されているライブビューを拡大表示へ切り替える。図５（ｆ）は、ライブビュー拡大表示時の画面例を示している。図５（ｆ）の画面５００Ｆでは、拡大表示されているライブビュー５０９に重畳して、拡大倍率５１１や拡大位置のインジケータ５１２などが表示されている。
【００６３】
Ｓ４１３において、システム制御部２０１は、フォーカスガイドが表示されているか否かを判定し、フォーカスガイドが表示されていると判定した場合はＳ４１４へ進み、そうでない場合はＳ４１８へ進む。
【００６４】
Ｓ４１４において、システム制御部２０１は、表示部１０１に表示されていたフォーカスガイドを非表示にする。図５（ｆ）の画面５００Ｆのように、拡大表示されているライブビュー５０９においてフォーカスガイドが非表示とされる。
【００６５】
Ｓ４１５において、システム制御部２０１は、表示部１０１に拡大表示されているライブビューを等倍表示へ切り替える。
【００６６】
Ｓ４１６において、システム制御部２０１は、フォーカスガイド機能が有効か否かを判定し、有効と判定した場合はＳ４１７へ進み、そうでない場合はＳ４１８へ進む。
【００６７】
Ｓ４１７において、システム制御部２０１は、表示部１０１に等倍表示されているライブビューに重畳してフォーカスガイドを表示する。図５（ｃ）の画面５００Ｃや図５（ｅ）の画面５００Ｅでは、等倍表示されているライブビュー５０８に重畳してフォーカスガイド５２１、５２２が表示されている。
【００６８】
Ｓ４１８において、システム制御部２０１は、操作部１０４を介して録画開始が指示されたか否かを判定し、指示されたと判定した場合はＳ４１９へ進み、そうでない場合はＳ４２０へ進む。
【００６９】
Ｓ４１９において、システム制御部２０１は、動画記録を開始する。図５（ｄ）は動画記録中の画面例を示している。図５（ｄ）の画面５００Ｄでは、動画記録中を示す記録中アイコン５０７がライブビュー５０８に重畳して表示されている。また、動画記録中であっても、フォーカスガイド機能が有効ならば、フォーカスガイド５２１または５２０は表示される。
【００７０】
Ｓ４２０において、システム制御部２０１は、操作部１０４を介してＭＦ操作がなされたか否かを判定し、ＭＦ操作がなされたと判定した場合はＳ４２４へ進み、そうでない場合はＳ４２１へ進む。
【００７１】
Ｓ４２１において、システム制御部２０１は、操作部１０４を介してその他の操作がなされたか否かを判定し、その他の操作がなされたと判定した場合はＳ４２２へ進み、そうでない場合はＳ４２３へ進む。その他の操作は、例えばＭＦ操作以外の撮影パラメータの設定操作や静止画撮影操作などが含まれる。
【００７２】
Ｓ４２２において、システム制御部２０１は、その他の操作に応じた処理を行う。
【００７３】
Ｓ４２３において、システム制御部２０１は、操作部１０４を介して撮影モード処理の終了操作がなされたか否かを判定し、終了操作がなされたと判定した場合は処理を終了し、そうでない場合はＳ４０２へ進む。
【００７４】
Ｓ４２４において、システム制御部２０１は、ライブビューが拡大表示中であるか否かを判定し、拡大表示中であると判定した場合はＳ４２５へ進み、そうでない場合はＳ４３１へ進む。
【００７５】
Ｓ４２５において、システム制御部２０１は、フォーカスガイド機能が有効か否かを判定し、フォーカスガイド機能が有効である判定した場合はＳ４２６へ進み、そうでない場合はＳ４３０へ進む。
【００７６】
Ｓ４２６において、システム制御部２０１は、動画記録中か否かを判定し、動画記録中と判定した場合はＳ４２７へ進み、そうでない場合はＳ４３０へ進む。ここで、動画記録中であるか判定している理由は、等倍表示中にフォーカス調整を行いたいケースは主に動画記録中であって、例えばＭＦ操作によるフォーカスの移動の様子を記録したいと考えられるからである。
【００７７】
Ｓ４２７において、システム制御部２０１は、複数のフォーカスガイドが表示されているか否かを判定し、複数のフォーカスガイドが表示されていると判定した場合はＳ４２８へ進み、そうでない場合はＳ４３０へ進む。
【００７８】
Ｓ４２８において、システム制御部２０１は、表示部１０１に拡大表示されているライブビューを等倍表示へ切り替える。
【００７９】
Ｓ４２９において、システム制御部２０１は、表示部１０１に等倍表示されているライブビューに重畳してフォーカスガイドを表示する。図５（ｃ）の画面５００Ｃや図５（ｅ）の画面５００Ｅでは、等倍表示されているライブビュー５０８にフォーカスガイド５２１、５２２が重畳して表示されている。
【００８０】
Ｓ４３０において、システム制御部２０１は、Ｓ４２０のＭＦ操作によるフォーカス調整量に応じて撮影レンズ２０３を移動する。
【００８１】
Ｓ４３１において、システム制御部２０１は、ライブビューに重畳してフォーカスガイドが表示されているか否かを判定し、フォーカスガイドが重畳表示されていると判定した場合はＳ４３２へ進み、そうでない場合はＳ４３０へ進む。
【００８２】
Ｓ４３２において、システム制御部２０１は、ライブビューに重畳表示されているフォーカスガイドを非表示にする。
【００８３】
Ｓ４３３において、システム制御部２０１は、表示部１０１に等倍表示されているライブビューを拡大表示へ切り替える。
【００８４】
なお、本実施形態ではライブビューの拡大表示中はフォーカスガイドを非表示としているが、図５（ｇ）の画面例に示すように拡大表示中もフォーカスガイドの表示を継続し、かつ動画記録可能としてもよい。図５（ｇ）の画面５００Ｇでは拡大表示されたライブビュー５０９に重畳してフォーカスガイド５２１が表示されている。図５（ｈ）は、図５（ｇ）の状態から動画記録を開始した画面例を示している。図５（ｈ）の画面５００Ｈでは、動画記録中を示す記録中アイコン５０７が拡大表示されているライブビュー５０９に重畳して表示されている。
【００８５】
また、図５の例ではフォーカスガイドは一定の大きさの矩形の枠で表示していたが、被写体検出結果に応じてサイズを可変として表示してもよい。図５（ｉ）は顔検出枠にフォーカスガイドを表示した画面例である。図５（ｉ）の画面５００Ｉでは、顔検出枠のフォーカスガイド５２３が被写体５０３に重畳して表示されている。なお、図５（ｊ）の画面例に示すように、複数のフォーカスガイドを表示しつつ動画記録可能としてもよい。図５（ｊ）の画面５００Ｊでは、各被写体５０３、５０４にフォーカスガイド５２１、５２２を表示すると共に、動画記録中を示す記録中アイコン５０７が、ライブビュー５０８に重畳して表示されている。
【００８６】
また、顔の器官として瞳を検出可能な瞳検出機能が有効に設定されている場合に、フォーカスガイドがある瞳位置を基準に拡大表示されているならば、ＭＦ操作をしても等倍表示に切り替えないようにしてもよい。フォーカスガイドがある瞳位置を拡大表示しているユーザは、瞳位置の合焦度合いを詳細に確認したいと考えられるためである。また、瞳が検出されていない場合または瞳検出機能が無効となっている場合など、フォーカスガイドがある顔位置を基準に拡大表示されているならば、ＭＦ操作に応じて等倍表示に切り替えるようにしてもよい。フォーカスガイドがある顔位置を拡大表示しているユーザは、顔全体の表情など確認したいと考えられるためである。
【００８７】
なお、上記Ｓ４２５からＳ４２７におけるライブビューの拡大表示を等倍表示に切り替えるか否かの判定は全てを実施しなくてもよい。また、デジタルカメラがオートフォーカスモードとマニュアルフォーカスモードを切り替え可能な場合には、マニュアルフォーカスモードの場合にのみ、ＭＦ操作に応じて拡大表示を等倍表示に切り替える処理（以下、表示切替処理）を行ってもよい。すなわち、オートフォーカスモードに設定されている場合には、ＭＦ操作があっても拡大表示を維持するようにしてもよい。また、ライブビューの出力先がＥＶＦ１０１ｂの場合（背面表示パネル１０１ａは非表示の場合）にのみ、上記表示切替処理を行ってもよい。出力先が背面表示パネル１０１ａであり、ＥＶＦ１０１ｂが非表示の場合には、ユーザは被写体の周囲状況を確認しながらフォーカス調整を行うことが可能だからである。
【００８８】
また、Ｓ４２５では拡大表示中にフォーカスガイド機能が有効か否かを判定しているが、拡大表示前に判定してもよい。この場合、拡大表示前にフォーカスガイド機能を有効に設定したユーザは、拡大表示前からフォーカスガイドを使いたいと考えられるため、拡大表示を行いフォーカス調整をしたら等倍表示に切り替え、等倍表示においてもフォーカスガイドを表示するようにすればよい。また、拡大表示中にフォーカスガイド機能を有効に設定したユーザは、拡大表示中にフォーカスガイドを見ながらフォーカス調整をしたいと考えられるため、フォーカス調整をしたら等倍表示に切り替え、等倍表示においてもフォーカスガイドを表示するようにしてもよい。フォーカスガイドを表示する設定になっていない場合には、拡大中にフォーカス調整操作があっても等倍に切り替えずに拡大を維持する。さらに、拡大表示前と拡大表示後のいずれかの状態でタッチ操作によってフォーカスガイドの位置を調整していた場合にフォーカス調整をしたら等倍表示に切り替え、フォーカスガイドを表示する設定になっている（有効）ものの、拡大中にフォーカスガイドの位置を調整していなかった場合には拡大中にフォーカス調整操作があっても等倍に切り替えずに拡大を維持するようにしてもよい。フォーカスガイドの位置の調整を行っているユーザは、フォーカスガイドを見ながらフォーカス調整を行いたいユーザであると考えられるためである。
【００８９】
また、Ｓ４２６で動画記録中ではない場合やＳ４２７でフォーカスガイドが１箇所または全く表示されていない（有効となっていない）場合であっても、上記表示切替処理（拡大中のフォーカス調整操作に応じて等倍に切り替え、フォーカスガイドを表示する処理）を行ってもよい。また、上記表示切替処理を行うか否かを予めメニュー画面などで選択的に設定できるようにしてもよい。このような設定を行うことでＭＦ操作がなされた場合は表示切替処理を行い、設定されていない場合はＭＦ操作がなされても等倍表示に切り切り替えることなく拡大倍率が維持される。
【００９０】
また、Ｓ４３１での判定に代えて、あるいは、Ｓ４３１での判定がＹＥＳであった場合の追加の判定として、ＭＦ操作に応じて拡大表示を行うか否かを予めメニュー画面などで選択的に設定したか否かを判定してもよい。この場合、ＭＦ操作に応じて拡大表示を行う設定となっている場合にはＳ４３２、Ｓ４３３へ進み、ＭＦ操作に応じて拡大表示に切り替える。そして、拡大表示中ならばその後さらにＭＦ操作が行われても拡大表示のまま等倍表示には切り替えない。すなわち、Ｓ４２４で拡大表示中と判定された後に、ＭＦ操作に応じて拡大表示を行う設定となっているか否かを判定し、ＭＦ操作に応じて拡大表示を行う設定となっている場合にはＳ４２５に進むことなくＳ４３０に進む。また、Ｓ４２４でＮＯと判定された場合、ＭＦ操作に応じて拡大表示を行う設定となっていないと判定した場合はＳ４３２、Ｓ４３３へは進まず、拡大表示は行わないようにする。
【００９１】
なお、システム制御部２０１が行うものとして説明した上述の各種制御は１つのハードウェアが行ってもよいし、複数のハードウェア（例えば、複数のプロセッサや回路、モジュール）が処理を分担することで、装置全体の制御を行ってもよい。
【００９２】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００９３】
また、上述した実施形態においては、本発明をデジタルカメラに適用した場合を例にして説明したが、この例に限定されず、ライブビューを拡大表示する機能やライブビューに重畳してフォーカスガイドを表示する機能を有する機器であれば適用可能である。すなわち、本発明はパーソナルコンピュータやＰＤＡ、携帯電話端末や携帯型の画像ビューワ、デジタルフォトフレーム、音楽プレーヤー、ゲーム機、電子ブックリーダー、タブレット端末、スマートフォンなどに適用可能である。また、投影装置、ディスプレイを備える家電装置や車載装置、医療機器などにも適用可能である。
【００９４】
なお、本発明は、カメラ本体に限らず、有線または無線通信を介して撮像装置（ネットワークカメラを含む）と通信し、撮像装置を遠隔で制御する制御装置にも適用可能である。撮像装置を遠隔で制御する装置としては、例えば、スマートフォンやタブレットＰＣ、デスクトップＰＣなどの装置がある。制御装置側で行われた操作や制御装置側で行われた処理に基づいて、制御装置側から撮像装置に各種動作や設定を行わせるコマンドを通知することにより、撮像装置を遠隔から制御可能である。また、撮像装置で撮影したライブビュー画像を有線または無線通信を介して受信して制御装置側で表示できるようにしてもよい。また、撮像装置で撮影したライブビュー画像を有線または無線通信を介して受信して制御装置側で表示できるようにしてもよい。
【００９５】
［他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【００９６】
１００…デジタルカメラ、１０１…表示部、１０４…操作部、２０１…システム制御部
【図１】
2020046476.tif 000003
【図２】
2020046476.tif 000004
【図３】
2020046476.tif 000005
【図４】
2020046476.tif 000006
【図５】
2020046476.tif 000007